(57)【要約】【課題】  本体ケース内に電気加熱ヒータを装着したものにおいて、電気加熱ヒータの長時間の通電による本体ケースの過熱を防止する事を目的とするものである。【解決手段】  本体ケースの上面に天板を装着すると共に、この天板の下方の電気加熱ヒータを装着し、この電気加熱ヒータにて天板に載置した被調理物を加熱するものにおいて、電気加熱ヒータの温度を検出する温度センサと、電気加熱ヒータへの通電を制御する制御回路を設けると共に、この制御回路を、温度センサの検出温度が所定温度以上に上昇するとタイマーのカウントを開始し、このカウント時間が予め設定した所定時間に達すると最大設定火力を予め設定した所定の低火力に設定する様に構成して成る。【選択図】        図４
2007032951.tif 000002
【特許請求の範囲】
【請求項１】
本体ケースの上面に天板を装着すると共に、この天板の下方の電気加熱ヒータを装着し、この電気加熱ヒータにて上記天板に載置した被調理物を加熱するものにおいて、上記電気加熱ヒータの温度を検出する温度センサと、上記電気加熱ヒータへの通電を制御する制御回路を設けると共に、この制御回路を、上記温度センサの検出温度が所定温度以上に上昇するとタイマーのカウントを開始し、このカウント時間が予め設定した第１の所定時間に達すると最大設定火力を予め設定した所定の低火力に設定する様に構成した事を特徴とする加熱調理器。
【請求項２】
本体ケースの上面に天板を装着すると共に、この天板の下方の電気加熱ヒータを装着し、この電気加熱ヒータにて上記天板に載置した被調理物を加熱するものにおいて、上記電気加熱ヒータへの通電を制御する制御回路を設けると共に、この制御回路を、上記電気加熱ヒータへの通電を開始してから予め設定した第２の所定時間経過すると、電気加熱ヒータの最大設定火力を予め設定した所定の低火力に設定する様に構成した事を特徴とする加熱調理器。
【請求項３】
上記制御回路を、設定火力に応じて上記第２の所定時間を変更する様に構成した事を特徴とする、上記請求項２に記載の加熱調理器。
【請求項４】
上記制御回路を、上記第１の所定時間のカウントと第２の所定時間のカウトを同時に並行して行う様に構成した事を特徴とする、上記請求項１〜２に記載の加熱調理器。
【発明の詳細な説明】
【技術分野】
【０００１】
本発明は、調理器本体の上面に被調理物を載置して加熱する耐熱ガラス製等の天板を装着し、かつこの天板の下方にラジエントヒータ等の電気加熱ヒータを配置した加熱調理器に関する。
【背景技術】
【０００２】
調理器本体の天面に鍋等の被調理物を載置する耐熱ガラス製の天板を装着し、この天板の下方にラジエントヒータ等の電気加熱式ヒータ等の熱源を配設した加熱調理器では、例えば特許文献１に示される様に、ラジエントヒータ等で構成したヒータ２２の近傍にサーモスタット３７等の温度センサを配置し、このサーモスタットの温度が例えば約９０℃になると高温表示手段３５によりＬＥＤ３５ａを点灯し、注意表示を行なう様に構成している。
【特許文献１】特開２００１−２２１４４３号公報
【発明の開示】
【発明が解決しようとする課題】
【０００３】
一方、上記の様に熱源に電気加熱式ヒータを用いた場合、調理器本体の上面を天板で被覆して密閉している為、長時間の使用により調理器本体内部の温度が上昇しやすく、ヒータに連続して例えば２０分間通電した場合にはヒータへの通電を強制的に停止することで、調理器本体内部の温度上昇や、調理器本体を組み込んだシステムキッチンのトッププレートの過熱による変色等を防止している。
【０００４】
然しながら、上記ヒータへの通電を停止した短時間後に再度通電され、かつ最大火力にて長時間使用された場合には、調理器本体の放熱が不足し、システムキッチンのトッププレート等が変色する恐れがあるという問題がある。
【０００５】
そこで本発明は、電気加熱ヒータの連続使用による調理器本体の過熱を確実に防止する事を目的とするものである。
【課題を解決するための手段】
【０００６】
本発明の請求項１の構成は、本体ケースの上面に天板を装着すると共に、この天板の下方の電気加熱ヒータを装着し、この電気加熱ヒータにて天板に載置した被調理物を加熱するものにおいて、電気加熱ヒータの温度を検出する温度センサと、電気加熱ヒータへの通電を制御する制御回路を設けると共に、この制御回路を、温度センサの検出温度が所定温度以上に上昇するとタイマーのカウントを開始し、このカウント時間が予め設定した第１の所定時間に達すると最大設定火力を予め設定した所定の低火力に設定する様に構成して成るものである。
【０００７】
本発明の請求項２の構成は、本体ケースの上面に天板を装着すると共に、この天板の下方の電気加熱ヒータを装着し、この電気加熱ヒータにて天板に載置した被調理物を加熱するものにおいて、電気加熱ヒータへの通電を制御する制御回路を設けると共に、この制御回路を、電気加熱ヒータへの通電を開始してから予め設定した第２の所定時間経過すると、電気加熱ヒータの最大設定火力を予め設定した所定の低火力に設定する様に構成したものである。
【０００８】
本発明の請求項３の構成は、請求項２の構成において、制御回路を、設定火力に応じて所定時間を変更する様に構成したものである。
【０００９】
本発明の請求項４の構成は、制御回路を、請求項１における第１の所定時間のカウントと請求項２における第２の所定時間のカウントとを同時に並行して行う様に構成したものである。
【発明の効果】
【００１０】
本発明の請求項１に記載の構成により、電気加熱ヒータへの通電を開始して電気加熱ヒータの温度が所定温度以上に上昇してから、予め設定した第１の所定時間経過すると、電気加熱ヒータの最大設定火力を所定の低火力に設定する様に構成したことで、電気加熱ヒータの温度が所定温度以上に上昇した状態で、電気加熱ヒータが第１の所定時間以上使用された場合には、強制的に設定火力を低火力に設定し、本体ケースや、本体ケースを組み込んだシステムキッチン等の温度上昇を防止し、これらの過熱による損傷や変色等を防止する事が出来るものである。
【００１１】
本発明の請求項２に記載の構成により、電気加熱ヒータへの通電を開始してから第２の所定時間経過すると、電気加熱ヒータの最大設定火力を所定の低火力に設定することで、電気加熱ヒータへの長時間に亘る通電による本体ケースや、この本体ケースを組み込んだシステムキッチンのトッププレート等の異常温度上昇による損傷を防止する事が出来るものである。
【００１２】
本発明の請求項３に記載の構成により、第２の所定時間を設定火力に応じて変更する様に構成したことで、例えば設定火力が高めに設定され、電気加熱ヒータ部の温度上昇が早い場合には短時間にて最大設定火力を低く設定し、本体ケース等の異常温度上昇による損傷を防止し、設定火力が低く、電気加熱ヒータ部の温度上昇が緩やかな場合には、第２の所定時間を長く設定することで、極力操作性を犠牲にすることなく、本体ケース等の過熱による損傷を防止する事が出来るものである。
【００１３】
本発明の請求項４に記載の構成により、第１の所定時間のカウントと第２の所定時間のカウントを並行して行う様に構成したことで、温度センサの検出温度が所定温度以上に上昇した状態で電気加熱ヒータが間欠的に使用されて第１所定時間経過した場合、或いは電気加熱ヒータが連続的に使用されて第２の所定時間経過した場合の何れの場合にも、これらの所定時間が経過すると最大設定火力を所定の低火力に設定することで、本体ケースの異常温度上昇等による損傷を確実に防止する事が出来るものである。
【発明を実施するための最良の形態】
【００１４】
本発明による実施例を先ず図１に基づき説明すると、１は例えばシステムキッチンのトッププレート等にドロップイン方式にて組み込まれて使用される調理器本体で、上面を開口した有底箱状の本体ケース３内に、前後に一対のラジエントヒータ等の電気加熱ヒータ４，５を収納配置している。
【００１５】
６は上記本体ケース３の上面に着脱可能に装着した耐熱ガラス製の天板で、上記電気加熱ヒータ４，５の上方に対向位置して、調理鍋等の載置位置を示すリング７，８を印刷している。
【００１６】
又上記天板６は、フレーム枠９にて本体ケース３の上面に固定していると共に、フレーム枠９の前端部分に操作パネル１０を配置し、この操作パネルには、図２にても示す様に電源キー１１、前側の電気加熱ヒータ４の運転キー１２と火力設定キー１３，１３、後側の電気加熱ヒータ５の運転キー１４と火力設定キー１５，１５を配置している。
【００１７】
更に、上記天板６の操作パネル１０に近接した前端部には、ＬＥＤランプにて構成した電源ランプ１６や、複数の火力表示ランプ１７・・，１８・・を配置している。
【００１８】
図３は上記電気加熱ヒータ４，５等への通電を制御する回路ブロック図の要部を示すもので、商用電源（１００Ｖ或は２００Ｖ）２１にヒューズ２２を介して整流回路２３を接続していると共に、上記ヒューズ２２とリレー接点２４，２４を介して、上記電気加熱ヒータ４，５とヒータ駆動回路２５，２６の直列回路を接続している。
【００１９】
又上記リレー接点２４，２４はヒータ電源駆動回路２７にて開閉制御され、このヒータ電源駆動回路や上記ヒータ駆動回路２５，２６は、マイクロコンピュータにて構成する制御回路２８の出力とウォッチドッグ回路２９の出力の論理和にて出力するＡＮＤ回路３０・・の出力を接続し、何れからも出力がある場合に、電気加熱ヒータ４，５やリレー接点２４，２４に各々通電する様に構成している。
【００２０】
上記整流回路２３の出力は、電源回路３１を介して上記制御回路２８や、上記操作パネル１０の下に配置した操作基板３２等の電源に供給される。
【００２１】
一方、上記電気加熱ヒータ４，５の適所にはバイメタルスイッチや液体膨張式のサーモスイッチ等で構成した温度センサ３３，３４を各々装着していると共に、これら温度センサの出力をサーモ回路３５，３６を介して上記制御回路２８の入力ポートに接続している。
【００２２】
更に、上記操作基板３２には、上記の各操作キー１１〜１５や、電源ランプ１６、火力表示ランプ１７・・，１８・・を装着し、かつこの操作基板はキー入力回路３７を介して制御回路２８の入力ポートに接続し、上記ＬＥＤランプは表示ランプ駆動回路３８を介して制御回路２８の出力ポートに接続している。
【００２３】
尚、３９はブザーで、制御回路２８の出力ポートに接続したブザー駆動回路４０の出力に接続されている。
【００２４】
而して、電源キー１１をオン操作することで、この操作をキー入力回路３７を介して制御回路２８が検出し、表示ランプ駆動回路３８に駆動用の出力信号を出力して、電源ランプ１６を点灯する。
【００２５】
次いで、運転キー１２，１４がオン操作されると、これを制御回路２８が検出してヒータ電源駆動回路２７を駆動し、リレー接点２４，２４を閉じると共に、ヒータ駆動回路２５，２６を駆動してオン操作された電気加熱ヒータ４，５に通電し、天板６上に載置された鍋等の被調理物を加熱する。
【００２６】
又、上記運転キー１２，１４がオン操作された時には、電気加熱ヒータ４，５を例えば「中」の火力に設定して加熱を開始し、火力設定キー１３，１３、１５，１５の操作により火力を「弱」、「強」等に変更して使用し、設定火力は上記の火力表示ランプ１７・・，１８・・の点灯により確認する。
【００２７】
尚、上記実施例では運転キー１２，１４がオン操作されると「中」火力で加熱を開始する様に設定しているが、「強」や「弱」火力で加熱を開始しても良く、設定火力も、３段階に限定されることなく、５段階や８段階等に設定する様に構成しても良い。
【００２８】
一方、加熱を停止する場合には運転キー１２，１４のオフ操作により行い、制御回路２８はこの操作を検出してヒータ駆動回路２５，２６を制御し、電気加熱ヒータ４，５への通電を停止する。
【００２９】
更に上記制御回路２８は、電気加熱ヒータ４，５に通電を開始して温度センサ３３，３４の検出温度が予め設定した所定温度（例えば８０℃）以上に上昇して接点を閉じると、図４にても示す様に、これをサーモ回路３５，３６の出力により検出してタイマー手段４１のカウントを開始し、このカウント時間が予め設定した第１の所定時間Ｔ（例えば６０分）に到達すると、電気加熱ヒータ４，５の最大設定火力を所定の低火力（例えば「中」）に設定する。
【００３０】
これらの構成により、電気加熱ヒータ４，５に通電してこれらの温度が所定温度以上に上昇してから第１の所定時間以上経過すると、強制的に最大設定火力を所定の低下力に設定することで、本体ケース３やこれを組み込んだシステムキッチン等の過熱や異常温度上昇による変形、変色等の損傷、耐久性能の低下等を確実に防止する事が出来るものである。
【００３１】
尚、図４中のＴ１〜Ｔ２は運転キー１２，１４のオン・オフ操作によって電気加熱ヒータ４，５への通電が中断された時間で、この中断によっても温度センサ３３，３４の検出温度が所定温度よりも低下しなければタイマー手段４１によるカウントを継続し、これにより、上記の本体ケース３の過熱等を確実に防止する事が出来るものである。
【００３２】
一方、上記第１の所定時間の経過により最大設定火力を所定の低火力に設定した場合には、温度センサ３３，３４の検出温度が上記所定温度よりも低下（Ｔ３）しない限り、最大設定火力の制限を解除しない様に構成しており、これにより、本体ケース３の過熱による損傷等を確実に防止する。
【００３３】
図５は本発明の他の実施例を示すタイムチャートで、Ｔ４にて運転キー１２，１４のオン操作により電気加熱ヒータ４，５への通電を開始すると、上記タイマー手段４１によるカウントを開始し、このカウント時間が予め設定した第２の所定時間ＴＴ（例えば２０分）に到達すると、電気加熱ヒータ４，５の最大設定火力を所定の低火力（例えば「中」）に設定する同時（Ｔ５）に、安全タイマーのカウントを開始し、この安全タイマーのカウント時間が予め設定した安全時間（例えば５分間）に到達すると（Ｔ６）、上記最大設定火力の制限を解除する。
【００３４】
これらの構成により、電気加熱ヒータ４，５への通電を開始してから第２の所定時間ＴＴ以上経過すると、最大設定火力を制限して電気加熱ヒータ４，５の発熱量を制限することで、電気加熱ヒータ４，５の長時間の使用による本体ケース３内部の過熱を防止し、過熱による本体ケース３の損傷や、本体ケースを組み込んだシステムキッチン等の温度上昇による変色や変形等の損傷を確実に防止する事が出来るものである。
【００３５】
又、制御回路２８は、上記図５にて示す実施例において、第２の所定時間ＴＴの設定時間を、例えば「強」火力の場合には２０分、「中」火力の場合には２５分、「弱」火力の場合には３０分の様に、設定火力に応じて設定する様に構成しており、これにより、電気加熱ヒータ４，５の発熱量に応じて最大設定火力を制限する迄の第２の所定時間ＴＴを設定することで、本体ケース３の過熱による損傷を防止しながら、操作性への影響を極力防止する事が出来るものである。
【００３６】
尚、上記実施例では図４にて示す第１の所定時間のカウントと、図５にて示す第２の所定時間のカウントを個別にカウントする様にしているが、これらを並行して同時にカウントする様に構成しても良く、これにより、電気加熱ヒータ４，５の使用状況に応じて最大設定火力を適切に制限し、本体ケース３や、これを組み込んだシステムキッチン等の過熱による損傷を確実に防止する事が出来るものである。
【図面の簡単な説明】
【００３７】
【図１】本発明の実施例を示す斜視図である。
【図２】同じく操作パネルの周辺を示す平面図である。
【図３】同じく回路ブロック図の実施例である。
【図４】同じく動作説明用のタイムチャートである。
【図５】同じく他の実施例を示すタイムチャートである。
【符号の説明】
【００３８】
３    本体ケース
４    電気加熱ヒータ
５    電気加熱ヒータ
６    天板
２８  制御回路
３３  温度センサ
３４  温度センサ
【図１】
2007032951.tif 000003
【図２】
2007032951.tif 000004
【図３】
2007032951.tif 000005
【図４】
2007032951.tif 000006
【図５】
2007032951.tif 000007